【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
試薬保冷庫に収容される複数の試薬ボトルのうち、少なくとも１つの試薬ボトル内の試薬に溶存する空気を除去する脱気機構と、
前記試薬ボトル内の試薬を反応容器へ所定量分注する試薬分注機構と、
検体ディスクに収容される検体を所定量前記反応容器へ分注する検体分注機構と、
前記反応容器内の検体と試薬との反応液を測定する測定部を有し、
前記脱気機構と前記試薬分注機構は独立に制御されることを特徴とする自動分析装置。
【請求項２】
請求項１に記載の自動分析装置において、
前記試薬保冷庫を覆うカバーを備え、
前記脱気機構は、前記試薬保冷庫の底面に真空ポンプを介して接続される脱気流路と、
前記脱気流路に設置され、大気開放側及び前記脱気流路側の切替えを行う三方電磁弁を有し、
前記カバーにより前記試薬保冷庫内を封止し前記試薬ボトルを開放すると共に、前記三方電磁弁を脱気流路側とした状態で、前記真空ポンプにより前記試薬ボトル内の試薬の脱気を行うことを特徴とする自動分析装置。
【請求項３】
請求項２に記載の自動分析装置において、
前記試薬保冷庫に設置され、前記真空ポンプと連通可能とされる配管と、
前記試薬保冷庫に収容される複数の試薬ボトルに設けられた第１の接続ポートと、
前記配管に設けられた複数の第２の接続ポートと、
前記第１の接続ポートと前記第２の接続ポートを連通可能とする脱気モジュールを備え、
前記真空ポンプを稼働し、前記脱気モジュールにより前記第２の接続ポートと連通する、試薬ボトル内の試薬の脱気を行うことを特徴とする自動分析装置。
【請求項４】
請求項２に記載の自動分析装置において、
前記試薬保冷庫の底面に接続され、前記試薬保冷庫内の結露水を排水する排水管と、
前記排水管に設置される電磁弁と、
前記カバーに設けられ、前記試薬保冷庫内の試薬へのアクセスを可能とする開閉可能なシャッタと、を備え、
前記三方電磁弁を大気開放側とした後、前記シャッタ及び前記電磁弁を開状態とし、前記試薬分注機構による試薬分注及び前記排水管による結露水の排水を行うことを特徴とする自動分析装置。
【請求項５】
請求項３に記載の自動分析装置において、
前記試薬ボトルの上面に設けられ、前記試薬分注機構による試薬ボトル内の試薬へのアクセスを可能とする試薬ボトルアクセス部を備え、
前記第１の接続ポートは、前記試薬ボトルの上面であって、前記試薬保冷庫の内周側に配され、
前記試薬ボトルアクセス部は、前記試薬保冷庫の外周側寄りに配されることを特徴とする自動分析装置。
【請求項６】
請求項５に記載の自動分析装置において、
前記試薬ボトルアクセス部を介する前記試薬分注機構による試薬分注動作は、前記脱気モジュールを介して実行される前記試薬ボトル内に収容される試薬の脱気中に実行されることを特徴とする自動分析装置。
【請求項７】
請求項５に記載の自動分析装置において、
前記試薬ボトルの内部に配される中空糸膜を備え、
前記中空糸膜は、前記第１の接続ポートに固定され、前記前記真空ポンプと連通可能とされる配管に前記脱気モジュールを介して連通し、前記真空ポンプの稼働により前記試薬中に溶存する空気のみを透過することを特徴とする自動分析装置。
【請求項８】
請求項４に記載の自動分析装置において、
更に、複数の試薬ボトルを収容する第２の試薬保冷庫を備え、
前記真空ポンプと前記三方電磁弁の間で前記脱気流路より分岐し前記第２の試薬保冷庫の底面に接続される分岐脱気流路と、
前記分岐脱気流路に設置され、大気開放側及び前記分岐脱気流路側の切替えを行う第２の三方電磁弁と、
前記第２の試薬保冷庫の底面に接続され、前記第２の試薬保冷庫内の結露水を排水する排水管と、
前記排水管に設置される第２の電磁弁と、
を有することを特徴とする自動分析装置。
【請求項９】
生体試料を遠心分離することにより上澄み液を抽出し、当該抽出された上澄み液を純水と混合し所望濃度の検体を生成する前処理装置と、
前記前処理装置により生成された検体を収容する検体容器を、複数収容する検体ラックと、
前記検体ラックを自動分析装置へ搬送する検体搬送機構と、を備え、
前記自動分析装置は、
試薬保冷庫に収容される複数の試薬ボトルのうち、少なくとも１つの試薬ボトル内の試薬に溶存する空気を除去する脱気機構と、
前記試薬ボトル内の試薬を反応容器へ所定量分注する試薬分注機構と、
検体ディスクに収容される検体を所定量前記反応容器へ分注する検体分注機構と、
前記反応容器内の検体と試薬との反応液を測定する測定部を有し、
前記脱気機構と前記試薬分注機構は独立に制御されることを特徴とする自動分析システム。
【請求項１０】
請求項９に記載の自動分析システムにおいて、
前記試薬保冷庫を覆うカバーを備え、
前記脱気機構は、前記試薬保冷庫の底面に真空ポンプを介して接続される脱気流路と、
前記脱気流路に設置され、大気開放側及び前記脱気流路側の切替えを行う三方電磁弁を有し、
前記カバーにより前記試薬保冷庫内を封止し前記試薬ボトルを開放すると共に、前記三方電磁弁を脱気流路側とした状態で、前記真空ポンプにより前記試薬ボトル内の試薬の脱気を行うことを特徴とする自動分析システム。
【請求項１１】
請求項１０に記載の自動分析システムにおいて、
前記試薬保冷庫に設置され、前記真空ポンプと連通可能とされる配管と、
前記試薬保冷庫に収容される複数の試薬ボトルに設けられた第１の接続ポートと、
前記配管に設けられた複数の第２の接続ポートと、
前記第１の接続ポートと前記第２の接続ポートを連通可能とする脱気モジュールを備え、
前記真空ポンプを稼働し、前記脱気モジュールにより前記第２の接続ポートと連通する、試薬ボトル内の試薬の脱気を行うことを特徴とする自動分析システム。
【請求項１２】
請求項１０に記載の自動分析システムにおいて、
前記試薬保冷庫の底面に接続され、前記試薬保冷庫内の結露水を排水する排水管と、
前記排水管に設置される電磁弁と、
前記カバーに設けられ、前記試薬保冷庫内の試薬へのアクセスを可能とする開閉可能なシャッタと、を備え、
前記三方電磁弁を大気開放側とした後、前記シャッタ及び前記電磁弁を開状態とし、前記試薬分注機構による試薬分注及び前記排水管による結露水の排水を行うことを特徴とする自動分析システム。
【請求項１３】
請求項１１に記載の自動分析システムにおいて、
前記試薬ボトルの上面に設けられ、前記試薬分注機構による試薬ボトル内の試薬へのアクセスを可能とする試薬ボトルアクセス部を備え、
前記第１の接続ポートは、前記試薬ボトルの上面であって、前記試薬保冷庫の内周側に配され、
前記試薬ボトルアクセス部は、前記試薬保冷庫の外周側寄りに配され、
前記試薬ボトルアクセス部を介する前記試薬分注機構による試薬分注動作は、前記脱気モジュールを介して実行される前記試薬ボトル内に収容される試薬の脱気中に実行されることを特徴とする自動分析システム。
【請求項１４】
請求項１３に記載の自動分析システムにおいて、
前記試薬ボトルの内部に配される中空糸膜を備え、
前記中空糸膜は、前記第１の接続ポートに固定され、前記前記真空ポンプと連通可能とされる配管に前記脱気モジュールを介して連通し、前記真空ポンプの稼働により前記試薬中に溶存する空気のみを透過することを特徴とする自動分析システム。
【請求項１５】
反応容器内で所定量の検体及び試薬を混合し、当該混合された反応液中の目的成分の同定を行う自動分析方法であって、
前記試薬を収容する試薬ボトルを複数収容する試薬保冷庫の底面に真空ポンプを介して接続される脱気流路に設置され、大気開放側及び前記脱気流路側の切替えを行う三方電磁弁を、脱気流路側とし、
前記真空ポンプを稼働し、
前記脱気流路に設置された圧力センサからの前記脱気流路内の圧力測定値を取得し、
前記取得された圧力測定値が所定の閾値以上の場合アラーム出力し、前記圧力測定値が前記閾値未満の場合前記試薬保冷庫内の試薬の脱気を継続し、
前記試薬へのアクセスが生じた場合、前記三方電磁弁を大気開放側へ切り替えることを特徴とする自動分析方法。